(57)【要約】【課題】  占有スペースが小さく、構造が極めて簡単となるとともに遊技媒体を安定に搬送し得る遊技媒体搬送装置を提供することを目的とする。【解決手段】  遊技媒体を搬送する遊技媒体搬送装置であって、回転翼１３と、該回転翼１３を回転駆動する駆動源１４と、遊技媒体を案内する遊技媒体案内路１５とを備え、前記遊技媒体案内路１５が、前記回転翼１３の回転面と略平行に配置された板状部２５と前記回転翼１３の回転範囲を包囲する包囲部２８とにより形成される凹陥部と、該凹陥部に連通するように前記板状部２５を貫通して形成された開口２５ａとを備え、前記回転翼１３が遊技媒体に接触して回転することにより、遊技媒体が前記遊技媒体案内路１５を通って搬送されるように構成されてなることを解決手段とする。【選択図】  図４
0003102123.tif 000002
【実用新案登録請求の範囲】
【請求項１】
遊技媒体を搬送する遊技媒体搬送装置であって、回転翼（１３）と、該回転翼（１３）を回転駆動する駆動源（１４）と、遊技媒体を案内する遊技媒体案内路（１５）とを備え、
前記遊技媒体案内路（１５）が、前記回転翼（１３）の回転面と略平行に配置された板状部（２５）と前記回転翼（１３）の回転範囲を包囲する包囲部（２８）とにより形成される凹陥部と、該凹陥部に連通するように前記板状部（２５）を貫通して形成された開口（２５ａ）とを備え、
前記回転翼（１３）が遊技媒体に接触して回転することにより、遊技媒体が前記遊技媒体案内路（１５）を通って搬送されるように構成されてなることを特徴とする遊技媒体搬送装置。
【請求項２】
前記回転翼（１３）が弾性材料からなる請求項１に記載の遊技媒体搬送装置。
【請求項３】
前記弾性材料がウレタンゴムである請求項２に記載の遊技媒体搬送装置。
【請求項４】
複数の回転翼（１３，…）をその回転方向に略等角度間隔に備えている請求項１ないし３のいずれかに記載の遊技媒体搬送装置。
【請求項５】
前記駆動源（１４）が、前記回転翼（１３）を回転軸（２４）に取り付けたモーターである請求項１ないし４のいずれかに記載の遊技媒体搬送装置。
【請求項６】
遊技媒体を搬送する遊技媒体搬送装置であって、ディスク状回転板（１３´）と、該ディスク状回転板（１３´）を回転駆動する駆動源（１４´）と、遊技媒体を案内する遊技媒体案内路（１５´）とを備え、
前記遊技媒体案内路（１５´）が、前記ディスク状回転板（１３´）の回転面と略平行に配置された板状部（２５´）と前記ディスク状回転板（１３´）の回転範囲を包囲する包囲部（２８）とにより形成される凹陥部と、該凹陥部に連通するように前記板状部（２５´）を貫通して形成された開口（２５ａ´）とを備え、
前記ディスク状回転板（１３´）が遊技媒体を載置して回転することにより、遊技媒体が前記遊技媒体案内路（１５´）を通って搬送されるように構成されてなることを特徴とする遊技媒体搬送装置。
【請求項７】
前記駆動源（１４´）が、前記ディスク状回転板（１３´）を回転軸（２４´）に取り付けたモーターである請求項６に記載の遊技媒体搬送装置。
【請求項８】
遊技媒体を供給する遊技媒体供給装置であって、左右方向に遊技媒体を排出し得る一対の排出口（２，２）と、該一対の排出口（２，２）に向けて下方に傾斜する一対の傾斜面（４ａ，４ｂ）とを有する第１貯留手段（１）と、請求項１ないし７のいずれかに記載の遊技媒体搬送装置とを備え、該遊技媒体搬送装置が、前記一対の傾斜面（４ａ，４ｂ）の直下にそれぞれ配置され、前記排出口（２，２）から排出される遊技媒体を、該遊技媒体を収納して遊技機への補給に用いる補給用容器（６）に供給するように構成されてなることを特徴とする遊技媒体供給装置。
【請求項９】
前記第１貯留手段（１）において、前記一対の排出口（２，２）の間には、第１貯留手段（１）に貯留された遊技媒体を前記一対の排出口（２，２）から分配して排出するべく断面二等辺三角形状の分岐部材（５）が設けられている請求項８に記載の遊技媒体供給装置。
【請求項１０】
遊技媒体を洗浄する遊技媒体洗浄装置であって、遊技媒体を収納して遊技機への補給に用いる補給用容器（６）が設置される補給用容器設置部（７）と、遊技機から回収された遊技媒体を貯留する第２貯留手段（８）と、該第２貯留手段（８）に貯留された遊技媒体を上方に搬送する揚送手段（９）と、該上方に搬送された遊技媒体を洗浄する洗浄手段（１０）と、該洗浄後の遊技媒体を前記第１貯留手段（１）に貯留するとともに前記補給用容器（６）に供給するべく請求項８または９に記載の遊技媒体供給装置とを備えてなることを特徴とする遊技媒体洗浄装置。
【請求項１１】
前記第２貯留手段（８）の上方には、遊技機から回収された遊技媒体の数をカウントするとともに、該遊技媒体を第２貯留手段（８）に排出し得る計数器が載置されるワーク載置台（１１）が設けられ、しかも、前記計数器から排出される遊技媒体と、遊技機から前記計数器を介することなく回収される遊技媒体とを前記揚送手段（９）で上方に搬送するとともに、該搬送後且つ洗浄前の遊技媒体を貯留する第３貯留手段（１２）が設けられ、該第３貯留手段（１２）から溢れた遊技媒体を前記第２貯留手段（８）に排出するように構成されてなる請求項１０に記載の遊技媒体洗浄装置。
【考案の詳細な説明】
【技術分野】
【０００１】
本考案は、遊技媒体搬送装置、供給装置、および洗浄装置に関し、詳しくは、スロットマシン等の遊技機で使用されるメダルに好適に使用し得る遊技媒体搬送装置、供給装置、および洗浄装置に関する。
【背景技術】
【０００２】
従来より、パチンコ店等の遊技場において複数のスロットマシン等の遊技機から回収されたメダル（遊技媒体）を洗浄し、該洗浄後のメダルを補給用容器に供給して収納した後、該補給用容器によりメダルの不足している遊技機に店員がメダルを補給し、再び各遊技機で使用可能な状態とするため、図６に示すようなメダル洗浄装置が使用されている（例えば、特開２００１−２２９４２９号公報参照）。
【０００３】
このメダル洗浄装置は、図６（ａ）および図６（ｂ）に示すように、遊技機から回収されたメダル（洗浄前のメダル）Ｍを貯留する下部タンク５８と、該下部タンク５８に貯留されたメダルＭを上方に搬送するバケットエレベータ５９と、該上方に搬送されたメダルＭを洗浄するメダル洗浄機６０と、該洗浄後のメダルＭを貯留する上部タンク５１とを有している。
【０００４】
また、このメダル洗浄装置の上部タンク５１の下方には、図６（ｃ）に示すように、駆動プーリ６１および従動プーリ６２と、それらに巻き掛けられた搬送ベルト６３とから構成されるメダル搬送装置５４と、該メダル搬送装置５４により搬送されたメダルＭを受け取る補給用容器６が設置される左右一対の補給用容器設置部７，７とが設けられている。
【０００５】
そして、上部タンク５１の底部には、メダルＭをその下方に配されたメダル搬送装置５４に向けて排出する排出口５２が設けられ、該排出口５２の左右下方には、メダルＭを補給用容器６に向けて案内する一対のメダル案内路５５，５５が設けられている。各メダル案内路５５の下端には、メダルＭを補給用容器６に供給する供給口５３が設けられている。
【０００６】
前記搬送ベルト６３は、図６（ｃ）を参照して、駆動プーリ６１によって正逆（左右）両方向に駆動されるように構成されているので、上部タンク５１から排出口５２を通って下方に排出されたメダルＭは、搬送ベルト６３上に載置され、メダル洗浄装置の左右方向（両側部）から各補給用容器６に供給される。
【０００７】
尚、このメダル洗浄装置の下部タンク５８の上方には、図６（ｂ）および図６（ｄ）に示すように、ワーク載置台１１が設けられており、該ワーク載置台１１上には、遊技機から回収されたメダルＭの数をカウントするとともに、該カウント後のメダルＭを下部タンク５８に排出し得るように構成された計数器１１ａが載置されている。
【０００８】
このように、前記メダル洗浄装置においては、下部タンク５８内に前記計数器１１ａからのメダルＭが排出される一方、遊技機５０に設けられた貯留タンク（図示せず）から溢れたメダルＭも、該遊技機５０の後方に配置された回収コンベア６４によって計数器１１ａを介することなく回収、搬送され、さらに下部タンク５８の後方に配置された回収リフト６５で揚送されて流入する（図６（ｂ）参照）。
【考案の開示】
【考案が解決しようとする課題】
【０００９】
しかしながら、この従来例のメダル洗浄装置では、メダルＭが水平に配置された搬送ベルト６３で搬送されるため、メダル搬送装置５４は、メダルＭの搬送ストロークが長くなり占有スペースが大きくなるので、上部タンク５１の下方に配置せねばならない。そのため、昨今のメダル洗浄装置のコンパクト化の要請に応えるべく、メダル洗浄装置において、その全高を低くしながら、店員が腰を屈めることなく補給用容器６を運搬し得るように補給用容器載置台７の高さ位置を高く設定すると、上部タンク５１の全高を低くする必要が生じ、これにより上部タンク５１の容量が小さくなり、店員が余裕を持って洗浄後のメダルＭを補給用容器６で各遊技機に補給することが困難となる。
【００１０】
その一方、前記メダル搬送装置５４は、搬送ベルト６３の正逆反転動作によりメダルＭを搬送するため、左右方向に同時にメダルＭを払い出すことができず、メダル洗浄装置においてメダルＭの供給効率が低下し、店員がメダルＭを補給用容器６で各遊技機に補給する頻度が減少するため、遊技機の稼働率の低下につながる問題もある。
【００１１】
さらに、前記メダル搬送装置５４は、複数の回転系や搬送ベルト６３を有する等、その構造も極めて複雑となるので、メダル洗浄装置の生産コストの上昇につながり、メンテナンスも困難となる。さらに、搬送ベルト６３の表面は平らな形状であるため、搬送ベルト６３上からメダルが脱落することがあり、これにより搬送が不安定となる問題もある。
【００１２】
本考案は、上述した問題に鑑みてなされたものであり、その一の目的は、占有スペースが小さく、構造が簡単で遊技媒体を安定に搬送し得る遊技媒体搬送装置を提供することにあり、他の目的は、遊技媒体を高効率で供給し得る遊技媒体供給装置を提供することにあり、さらに他の目的は、設置スペースをコンパクト化しながら高い遊技媒体貯留能力を有する遊技媒体洗浄装置を提供することにある。
【課題を解決するための手段】
【００１３】
本考案に係る遊技媒体搬送装置は、遊技媒体を搬送する遊技媒体搬送装置であって、回転翼と、該回転翼を回転駆動する駆動源と、遊技媒体を案内する遊技媒体案内路とを備え、前記遊技媒体案内路が、前記回転翼の回転面と略平行に配置された板状部と前記回転翼の回転範囲を包囲する包囲部とにより形成される凹陥部と、該凹陥部に連通するように前記板状部を貫通して形成された開口とを備え、前記回転翼が遊技媒体に接触して回転することにより、遊技媒体が前記遊技媒体案内路を通って搬送されるように構成されてなることを特徴とする。
【００１４】
該遊技媒体搬送装置によれば、回転翼の回転により遊技媒体を搬送することができるため、遊技媒体の搬送ストロークが短縮され、しかも、回転翼と、該回転翼を回転駆動する一の駆動源と、シンプルな構造の遊技媒体案内路とから構成し得るため、全体の構造も極めて簡単となる。さらに、遊技媒体が凹陥部に保持された後、開口を通って搬送されるようになるため、遊技媒体が安定に搬送されるようになる。
【００１５】
前記遊技媒体搬送装置にあっては、前記回転翼が弾性材料からなることが好ましい。
【００１６】
該好ましい構成によれば、金属等の硬質の材料から形成されている遊技媒体との衝突によって回転翼が損傷する虞が少なくなり、しかも、回転翼自体の弾性反発力により遊技媒体が反発移動するので、遊技媒体の搬送効率が高められる。
【００１７】
前記遊技媒体搬送装置にあっては、前記弾性材料がウレタンゴムであることが好ましい。
【００１８】
該好ましい構成によれば、回転翼を構成する材料が入手容易且つ安価ものとなり、しかも適度な弾性反発力と剛性とを兼ね備えたものとなる。
【００１９】
前記遊技媒体搬送装置にあっては、複数の回転翼をその回転方向に略等角度間隔に備えていることが好ましい。
【００２０】
該好ましい構成によれば、回転翼と回転翼との間に遊技媒体を順次受け入れて遊技媒体を搬送することができ、回転翼が一つのみの場合に比して遊技媒体の搬送効率が高められる。
【００２１】
前記遊技媒体搬送装置にあっては、前記駆動源が、前記回転翼を回転軸に取り付けたモーターであることが好ましい。
【００２２】
該好ましい構成によれば、駆動源の構造が簡単なものとなる。
【００２３】
また、本考案に係る遊技媒体搬送装置は、ディスク状回転板と、該ディスク状回転板を回転駆動する駆動源と、遊技媒体を案内する遊技媒体案内路とを備え、前記遊技媒体案内路が、前記ディスク状回転板の回転面と略平行に配置された板状部と前記ディスク状回転板の回転範囲を包囲する包囲部とにより形成される凹陥部と、該凹陥部に連通するように前記板状部を貫通して形成された開口とを備え、前記ディスク状回転板が遊技媒体を載置して回転することにより、遊技媒体が前記遊技媒体案内路を通って搬送されるように構成されてなることを特徴とする。
【００２４】
該遊技媒体搬送装置によれば、ディスク状回転板の回転により遊技媒体を搬送することができるため、遊技媒体の搬送ストロークを短縮することができ、しかも、ディスク状回転板と、該ディスク状回転板翼を回転駆動する一の駆動源と、シンプルな構造の遊技媒体案内路とから構成し得るため、全体の構造が極めて簡単となる。さらに、回転系が実質的に隙間のないディスク状回転板により構成されているので、回転系に誤って手指を挟まれる虞が皆無となって安全性も向上する。
【００２５】
前記遊技媒体搬送装置にあっては、前記駆動源が、前記ディスク状回転板を回転軸に取り付けたモーターであることが好ましい。
【００２６】
該好ましい構成によれば、駆動源の構造が簡単なものとなる。
【００２７】
本考案に係る遊技媒体供給装置は、遊技媒体を供給する遊技媒体供給装置であって、左右方向に遊技媒体を排出し得る一対の排出口と、該一対の排出口に向けて下方に傾斜する一対の傾斜面とを有する第１貯留手段と、前記遊技媒体搬送装置とを備え、前記遊技媒体搬送装置が、前記一対の傾斜面の直下にそれぞれ配置され、前記排出口から排出される遊技媒体を、該遊技媒体を収納して各遊技機への補給に用いる補給用容器に供給するように構成されてなることを特徴とする。
【００２８】
該遊技媒体供給装置によれば、第１貯留手段の一対の傾斜面の直下に形成されるデッドスペースにそれぞれ遊技媒体搬送装置が配置されているので、第１貯留手段の全高を高くすることなく第１貯留手段の容量を高めることができ、しかも、一方の遊技媒体搬送装置の駆動源を、他方の遊技媒体搬送装置の駆動源と別個独立に駆動することが可能となり、これにより遊技媒体を左右方向に同時に供給することができる。
【００２９】
前記遊技媒体供給装置にあっては、前記第１貯留手段において、前記一対の排出口の間には、第１貯留手段に貯留された遊技媒体を前記一対の排出口から分配して排出するべく断面二等辺三角形状の分岐部材が設けられていることが好ましい。
【００３０】
上記好ましい構成によれば、単純な構造の分岐部材によって第１貯留手段の一対の排出口から遊技媒体を分配して排出することができ、しかも、該分岐部材によって排出口近傍で生じ易いブリッジを防止することもできる。
【００３１】
本考案に係る遊技媒体洗浄装置は、遊技媒体を洗浄する遊技媒体洗浄装置であって、遊技媒体を収納して各遊技機への補給に用いる補給用容器が設置される補給用容器設置部と、遊技機から回収された遊技媒体を貯留する第２貯留手段と、該第２貯留手段に貯留された遊技媒体を上方に搬送する揚送手段と、該上方に搬送された遊技媒体を洗浄する洗浄手段と、該洗浄後の遊技媒体を前記第１貯留手段に貯留するとともに前記補給用容器に供給するべく前記遊技媒体供給装置が設けられてなることを特徴とする。
【００３２】
該遊技媒体洗浄装置によれば、高さに比して容量の大きな第１貯留手段を有する遊技媒体供給装置が設けられているので、該第１貯留手段の高さ位置を高く設定することなく遊技媒体の容量を高めることができる。
【００３３】
前記遊技媒体洗浄装置にあっては、前記第２貯留手段の上方には、遊技機から回収された遊技媒体の数をカウントするとともに、該遊技媒体を第２貯留手段に排出し得る計数器が載置されるワーク載置台が設けられ、しかも、前記計数器から排出される遊技媒体と、遊技機から前記計数器を介することなく回収される遊技媒体とを前記揚送手段で上方に搬送するとともに、該搬送後且つ洗浄前の遊技媒体を貯留する第３貯留手段が設けられ、該第３貯留手段から溢れた遊技媒体を前記第２貯留手段に排出するように構成されてなることが好ましい。
【００３４】
上記好ましい構成によれば、第２貯留手段の上方に計数器が載置されるワーク載置台が設けられているので、洗浄装置の設置スペースを有効に活用することができ、しかも、計数器から排出される遊技媒体と、遊技機から前記計数器を介することなく回収される遊技媒体とを一の揚送手段で上方に搬送することができるので、洗浄装置の構造がシンプル化される。
【考案の効果】
【００３５】
以上のように、本考案に係る遊技媒体搬送装置によれば、遊技媒体の搬送ストロークが短縮され、占有スペースが小さなものとなるとともに、シンプルな構成部材からなるため、その構造も極めて簡単となる。さらに、遊技媒体が凹陥部に保持された後、開口を通って搬送されるようになるため、遊技媒体が安定に搬送されるようになる。
また、本考案に係る遊技媒体供給装置によれば、第１貯留手段の全高を高くすることなく第１貯留手段の容量を高めることができ、しかも、遊技媒体を左右方向に同時に供給することができるので、遊技媒体を高効率で供給することができる。
さらに、本考案に係る遊技媒体洗浄装置によれば、第１貯留手段の高さ位置を高く設定することなく第１貯留手段の容量を高めることができるので、設置スペースをコンパクト化しながら高い遊技媒体貯留能力を有するものとなる。
【考案を実施するための最良の形態】
【００３６】
以下、本考案に係るメダル（遊技媒体）搬送装置、供給装置、および洗浄装置の一実施形態について図面を参照しながら説明する。図１は、本考案の一実施形態に係るメダル洗浄装置を示す図であり、（ａ）はその内部構成を示す斜視図、（ｂ）はその外部構成を示す斜視図である。また、図２は、同メダル洗浄装置の内部機構を示す図であり、（ａ）はその断面正面図、（ｂ）はその断面側面図である。該メダル洗浄装置は、メダルを収納して各スロットマシン（遊技機）への補給に用いる補給用容器が設置される補給用容器設置部７と、スロットマシンから回収されたメダルを貯留するメダル貯留タンク（第２貯留手段）８と、該メダル貯留タンク８に貯留されたメダルを上方に搬送するバケットエレベータ（揚送手段）９と、該上方に搬送されたメダルを洗浄するメダル洗浄機（洗浄手段）１０とを備えている。
【００３７】
図１および図２に示すメダル洗浄装置においては、前記補給用容器設置部７は、メダル洗浄装置の左右側部に一対設けられている。そして、前記メダル貯留タンク８は、メダル洗浄装置の下部に設けられたキャビネット４０内に収納されており、前記メダル貯留タンク８の上方には、スロットマシンから回収されたメダルの数をカウントするとともに、該メダルをメダル貯留タンク８に排出し得るように構成された計数器が載置されるワーク載置台１１が設けられている。
【００３８】
前記メダル貯留タンク８の底部には、該メダル貯留タンク８に貯留されたメダルを排出する排出口８ａが形成され、該排出口８ａには、内部をメダルを通すメダル案内路８ｂが連通されており、該メダル案内路８ｂは、バケットエレベータ９のメダル受入部９ａに通じるシューター３９に連通されている。そして、メダル案内路８ｂの途中には、モーター３８ａを有し、その回転力により、排出口８ａから排出されたメダルをメダル案内路８ｂおよびシューター３９を通ってバケットエレベータ９の下端に設けられたメダル受入部９ａに送給するメダル送給装置３８が設けられている。
【００３９】
前記バケットエレベータ９は、前記メダル受入部９ａで受け入れたメダルを、上端に設けられた角筒状のメダル排出部９ｂへ移送するべく構成されており、無端回転体と、該無端回転体にメダルを収納する複数のバケットが上下方向に所定間隔を置いて循環移送可能に設けられている従来公知のものである（例えば、実開平６−１４１２３号公報参照）。また、前記メダル排出部９ｂの下端には、その内部を通過したメダルを下方に排出する排出口９ｃが形成されている。尚、このバケットエレベータ９は、図１に示すように、メダル貯留タンク８とメダル洗浄装置１０の間に配置されている。
【００４０】
前記メダル洗浄機１０は、図２（ａ）を参照して、バケットエレベータ９のメダル排出部９ｂから排出されたメダルを整列して下方（下端部）から上方（上端部）に移送する長尺の搬送コンベア３１と、該搬送コンベア３１の上端に設けられたシューター３２と、メダルを洗浄液で洗浄する洗浄部３０と、メダルに付着した洗浄液等を拭き取る上下一対の搬送コンベア３６，３７とを備えている。前記洗浄部３０は、搬送コンベア３１の上端からシューター３２に供給されたメダルに洗浄液を噴射する噴射ノズル３３と、洗浄液が噴射されたメダルの表裏面を洗浄するための一対の回転する洗浄ブラシ３４ａ，３４ｂと、メダル表面から洗浄液を吸水する一対の吸水ローラ３５ａ，３５ｂとを備えている。尚、メダルを洗浄するために用いられる洗浄液は、図示しない洗浄液槽に貯留され、ポンプ装置によって噴射ノズル３３に圧送される。そして、噴射ノズル３３から噴射された洗浄液は、前記洗浄液槽に回収され再使用されるようになっている。また、このメダル洗浄機１０は、メダル洗浄装置の上部に設けられたキャビネット４１内に収納されている。
【００４１】
本実施形態のメダル洗浄装置においては、図２（ａ）および図２（ｂ）を参照して、前記メダル洗浄機１０の搬送コンベア３１の下端部側方には、バケットエレベータ９から排出された洗浄前のメダルを一時的に貯留するメダル補助タンク（第３貯留手段）１２が配置されている。また、該メダル補助タンク１２の側壁部には、オーバーフロー口１２ａが形成され、該オーバーフロー口１２ａに連通してメダル貯留タンク８に通じる角筒状のメダル通路１２ｂが設けられており、前記搬送コンベア３１によって移送されずにメダル補助タンク１２から溢れた洗浄前のメダルが、オーバーフロー口１２ａおよびメダル通路１２ｂを通過してメダル貯留タンク８に落下するようになっている。
【００４２】
さらに、図３に拡大して示すように、本実施形態のメダル洗浄装置は、補給用容器設置部７に設置された補給用容器６にメダルを供給するメダル供給装置２２を備えている。そして、このメダル供給装置２２は、メダル洗浄機１０によって洗浄されたメダルを一旦貯留するメダル供給タンク（第１貯留手段）１と、該メダル供給タンク１に貯留されたメダルを搬送する左右一対のメダル搬送装置２３，２３とを有している。
【００４３】
前記メダル供給タンク１には、左右方向にメダルを排出し得る一対の排出口２，２と、該一対の排出口２，２に向けて下方に傾斜する左右一対の傾斜面４ａ，４ｂとが設けられている。また、該メダル供給タンク１は、左右一対の矩形状の傾斜板１６ａ，１６ｂを有しており、前記一対の傾斜面４ａ，４ｂは、該一対の傾斜板１６ａ，１６ｂの上面に形成されている。そして、前記一対の排出口２，２は、傾斜板１６ａ，１６ｂの下端部にそれぞれ形成されている。さらに、メダル供給タンク１は、左方の傾斜板１６ａに連設され、且つ垂直方向に立設された矩形状の側板１７と、傾斜板１６ａ，１６ｂおよび側板１７と略直交状態で連設され、互いに対向する一対の多角形状の側板１８，１８と、該一対の側板１８，１８および傾斜板１６ａ，１６ｂの下縁に連設された矩形状の底板２０とを有している。そして、一対の排出口２，２の間、且つ底板２０上には、メダル供給タンク１に貯留されたメダルを各排出口２から分配して排出するべく断面二等辺三角形状の分岐部材２１が設けられている。さらに、図１（ａ）を参照して、前記側板１７、一対の側板１８，１８、および右方の傾斜板１６ｂの上縁によって、上方に向けて開口した開口部１９が形成されており、洗浄後のメダルがメダル供給タンク１内に落下し得るように、前記メダル洗浄機１０が開口部１９の上方に配置されている。
【００４４】
図３に戻り、前記メダル搬送装置２３，２３は、メダル供給タンク１の一対の傾斜面４ａ，４ｂ（一対の傾斜板１６ａ，１６ｂ）の直下に配置されている。詳しくは、前記メダル搬送装置２３，２３は、メダル供給タンク１の一対の傾斜面４ａ，４ｂ（一対の排出口２，２）から離間して配置されており、メダル供給装置２２には、前記排出口２，２からメダル搬送装置２３に排出されたメダルが外に溢れ出ないように、排出口２，２に連通し、且つメダル搬送装置２３のメダル受け部２３ａを包囲する一対の角筒状のメダル排出路２０ａ，２０ａが設けられている。
【００４５】
各メダル搬送装置２３は、図４に示すように、回転翼１３と、該回転翼１３を回転駆動するモーター（駆動源）１４と、メダルを案内するメダル案内路１５とを備えている。
図４に示すメダル搬送装置２３においては、回転翼１３が複数（３つ）設けられており、それぞれモーター１４の回転軸２４の周囲に固設されている。詳しくは、該回転軸２４には、突出部２４ａが設けられており、該突出部２４ａにより円環状の固定部材２４ｂが回転軸２４に相対回転不能に固定され、各回転翼１３は、その一端でピン１３ａにて前記固定部材２４ｂに略等角度間隔（図４（ａ）では、１２０°間隔）で取り付けられている。尚、各回転翼１３は、弾性材料、具体的にはウレタンゴムからなり、角柱状に形成されている。
【００４６】
前記モーター１４は、回転翼１３の回転面に略平行に配置された矩形状の固定板（板状部）２５に、複数のボルト２７，…により前記回転軸２４を図示しないギアを介して回転し得るように固定されている。また、前記固定板２５は、前記メダル供給装置２２にメダル排出路２０ａを介して支持される外形が矩形状の支持プレート（包囲部）２８に周縁部を略合致させて固設されており、該支持プレート２８の中央部を貫通して前記複数の回転翼１３，…の回転範囲を包囲する円形状の貫通孔２８ａが形成されている。換言すれば、前記支持プレート２８は、その貫通孔２８ａにより回転翼１３の回転範囲を包囲している。
【００４７】
前記メダル案内路１５は、固定板２５と支持プレート２８の貫通孔２８ａとにより形成される凹陥部と、前記凹陥部（貫通孔２８ａ）に連通するように固定板２５を貫通して矩形状に形成された開口２５ａと、該開口２５ａと一端で連通し、他端（下端）に、補給用容器設置台７に設置された補給用容器６にメダルを供給する供給口３が形成されている角筒体２６とから構成されている。
【００４８】
各メダル搬送装置２３は、メダル供給タンク１の排出口２から排出されるメダルを、補給用容器載置部７に設置された補給用容器６（図３参照）に搬送する。具体的には、メダル供給タンク１から排出されるメダルが前記凹陥部に保持された状態で、モーター１４の電源がオンとなり回転軸２４の回転に伴い複数の回転翼１３，…が回転すると、各回転翼１３がメダルに接触し、メダルが回転翼１３の回転力によって順次開口２５ａに向けて繰り出される（搬送される）。尚、図３に示すメダル供給装置２２には、補給用容器設置部７における補給用容器６の設置の有無と、該補給用容器６に収納されたメダルの量とを検知するとともに、メダル搬送装置２３のモーター１４に電気的に接続されている図示しないセンサが設けられており、補給用容器６に供給され収納されたメダルが所定量以上となると、該メダル搬送装置２３のモーター１４の電源が自動的にオフとなり、一方、満杯となった補給用容器６に代えて空の補給用容器６が設置されると、モーター１４の電源が自動的にオンとなるように構成されている。これにより、一方のメダル搬送装置２３のモーター１４が、他方のメダル搬送装置２３のモータ−１４と別個独立に駆動されるので、メダルをメダル洗浄装置（メダル供給装置）の左右方向に同時に供給することができる。
【００４９】
以下、本実施の形態のメダル洗浄装置の使用態様について説明すると、図２を参照して、ワーク載置台１１上に載置された計数器（図示せず）から排出されたメダルは、メダル貯留タンク８に貯留され、その底部に設けられた排出口８ａを通って排出され、メダル送給装置３８によりシューター３９内に送給される。また、図示しないスロットマシンに設けられた貯留タンクから溢れたメダルも、スロットマシンの後方に配置された回収コンベアによって回収、搬送され、シューター３９内に投入される。このようにしてシューター３９に集められたメダルは、次いでバケットエレベータ９のメダル受入部９ａに流入し、無端回転体の複数のバケット（図示せず）に順次受け渡されて上方に移送され、該バケットエレベータ９の上端において、各バケットからメダル排出部９ｂに投げ込まれ、排出口９ｃからメダル洗浄装置１０の搬送コンベア３１の下端部に向けて排出され、メダル補助タンク１２に貯留される。
【００５０】
該メダル補助タンク１２に貯留されたメダルは、搬送コンベア３１によって整列されつつ、上方に移送されて搬送コンベア３１の上端にてシューター３２に受け渡される。続いて、メダルには噴射ノズル３３から洗浄液が噴射されつつ、一対の洗浄ブラシ３４ａ，３４ｂ間に送り込まれて表裏面が払拭され、洗浄された後、一対の吸水ローラ３５ａ，３５ｂによって挟持され表裏面に付着した洗浄液が吸水される。その後、搬送コンベア３７のメダル受け部３７ａに落下し、さらに上下の搬送コンベア３６，３７に挟持されて搬送され、メダルの表裏面に付着した残存洗浄液や汚れがほぼ完全に拭き取られる。
【００５１】
このようにして洗浄されたメダルは、メダル洗浄機１０の下方に配置されたメダル供給タンク１に排出され、貯留される。その後、図３を参照して、メダル供給タンク１内のメダルは、一対の傾斜面１６ａ，１６ｂに沿って滑落し、さらに分岐部材２１によって左右に分配されて一対の排出口２，２から排出され、一対のメダル排出路２０ａ，２０ａを通って、各メダル搬送装置２３のメダル受け部２３ａに供給される。
【００５２】
各メダル搬送装置２３に供給されたメダルは、図３および図４を参照して、複数の回転翼１３，…の回転力により、メダル案内路１５を通って搬送される。詳しくは、前記メダルは、先ず、固定板２５と支持プレート２８とにより形成される凹陥部に保持され、回転翼１３，…の回転により順次繰り出され、開口２５ａを通って角筒体２６内を通過し、角筒体２６の供給口３から補給用容器載置部７に設置された補給用容器６に供給される。
【００５３】
以上説明したように、本実施の形態のメダル搬送装置２３によれば、複数の回転翼１３，…の回転力によってメダルを搬送することができるので、メダルの搬送ストロークが短くなり、占有スペースが小さなものとなる。したがって、メダル供給タンク１の傾斜面４ａ，４ｂの直下部に形成されるデッドスペースにも配置することが可能となる。しかも、回転翼１３と、該回転翼１３を回転駆動する一のモーター１４と、シンプルな構造のメダル案内路とから構成し得るため、全体の構造も極めて簡単なものとなり、ローコストで生産し得るものとなる。さらに、メダルが固定板２５と支持プレート２８とにより形成される凹陥部に保持された後、開口２５ａを通って搬送されるようになるため、メダルの搬送状態が安定化されるようになる。
【００５４】
また、前記した従来例の如く、メダルの搬送に搬送ベルト６３を用いる場合は、搬送ベルト６３が度重なるメダルの衝突により損傷を受け易く耐久性に問題があり、しかも、駆動プーリ６１および従動プーリ６２に巻き掛けられているので交換も困難であったところ、本実施の形態のメダル搬送装置２３によれば、メダルの搬送に弾性材料からなる回転翼１３を用いているので耐久性に優れたものとなり、また、該回転翼１３は、ビン１３ａにて固定部材２４ｂに固定されているのみであるので交換も容易に行えるようになる。
【００５５】
また、本実施の形態のメダル供給装置２２によれば、メダル供給タンク１の一対の傾斜面４ａ，４ｂの直下にそれぞれメダル搬送装置２３が配置されているので、メダル供給タンク１の全高を高くすることなくその容量を高めることができ、しかも、一方のメダル搬送装置２３のモーター１４を、他方のメダル搬送装置２３のモーター１４と別個独立に駆動することにより、メダルを左右方向に同時に供給することができるので、メダルの供給が高効率化される。
【００５６】
さらに、本実施の形態のメダル洗浄装置によれば、メダル供給装置２２のメダル供給タンク１の高さ位置を高く設定することなくメダル供給タンク１の容量を高めることができるので、設置スペースをコンパクト化しながら高いメダル貯留能力を有するものとなる。
【００５７】
また、メダル洗浄装置のメダル供給装置２２において、メダル搬送装置２３がメダル供給タンク１の傾斜面４ａ（４ｂ）の直下に配置されているので、メダル供給タンク１の容量を維持しながら、補給用容器設置部７をなるべく高い位置（例えば、店員の腰よりも高い位置）に設定することが可能となり、補給用容器６の設置と取り出しを容易に行えるようになる。
【００５８】
尚、本考案は、その要旨を変更しない限り、上記実施形態に何ら限定されず、種々の形態の実施が可能である。
【００５９】
上記実施形態では、メダル搬送装置２３において、固定板２５と支持プレート２８とを別体の部材で構成したが、両者は一体的に形成されていてもよく、また、支持プレート２８と、メダル供給装置２２のメダル案内路２０ａとを別体の部材としたが、支持プレート２８は、メダル案内路２０ａと一体的に形成されていてもよい。
【００６０】
また、上記実施形態では、メダル搬送装置２３を、回転翼１３と、該回転翼１３を回転駆動するモーター１４とを備え、前記回転翼１３がメダルに接触して回転することにより、メダルをメダル案内路１５を通って搬送するように構成したが、メダル搬送装置２３に代えて、図５に示すように、メダル搬送装置２３´を、ディスク状回転板１３´と、該ディスク状回転板１３´を回転駆動するモーター（駆動源）１４´とを備えたものとし、前記ディスク状回転板１３´がメダルを載置して回転することにより、メダル案内路１５´を通って搬送するように構成してもよい。
【００６１】
このメダル案内路１５´は、メダル供給装置２２にメダル排出路２０ａを介して支持される外形が矩形状の支持プレート（包囲部）２８´を貫通して形成された貫通孔２８ａ´が、該回転範囲を外れた領域にて、ディスク状回転板１３´の回転面に略平行に配置された固定板（板状部）２５´を貫通して形成された矩形状の開口２５ａ´に連通するように、貫通孔２８ａ´の一部が前記開口２５ａ´の周縁に沿う形状を呈している以外は、前記メダル案内路１５と同様に構成されており、前記開口２５ａ´と一端で連通し、他端（下端）に、補給用容器設置台７に設置された補給用容器６にメダルを供給する供給口３´が形成されている角筒体２６´を備えている点においても同様である。このような構成により、ディスク状回転板１３´がメダルを載置して回転することで、前記メダル搬送装置２３と同様に、メダルがメダル案内路１５´（固定板２５´と支持プレート２８´の貫通孔２８ａ´とにより形成される凹陥部および固定板２５´に形成された開口２５ａ´）を通って搬送される。
【００６２】
尚、このメダル搬送装置２３´においては、前記メダル搬送装置２３と同様に、前記モーター１４´が、前記固定板２５´に複数のボルト２７´，…により前記回転軸２４´を図示しないギアを介して回転し得るように固定されており、固定板２５´は、前記支持プレート２８´に周縁部を合致させて固設されている。
【００６３】
該メダル搬送装置２３´によれば、回転系がディスク状回転板１３´により構成されているので、回転系に誤って手指を挟まれる虞が皆無となって安全性が向上する。尚、このメダル搬送装置２３´においては、前記支持プレート２８´は固定板２５´に一体化されていてもよい。
【００６４】
また、上記実施形態では、入手容易で安価であり、しかも、適度な弾性反発力と剛性とを兼ね備えることから、回転翼１３をウレタンゴムにより形成したが、その他の弾性材料、例えば、シリコンゴム、フッ素ゴム等により形成することもできるし、弾性材料以外の材料、例えば、鉄やＳＵＳ等の金属、硬質樹脂、複合材料により形成することもできる。
【００６５】
また、上記実施形態では、メダル搬送装置２３を、その回転翼１３，…の回転面がメダル供給装置２２の傾斜面４ａ，４ｂに略平行になるように配置したが、これに限定されず、メダル搬送装置２３は、例えば、その回転翼１３，…の回転面が水平になるように設置してもよい。尚、前記メダル搬送装置２３´においては、ディスク状回転板１３´の回転面が水平であることは、メダルの搬送効率を高める上で好ましい。
【００６６】
また、上記実施形態では、メダル搬送装置２３のメダル案内路１５を、固定板２５と支持プレート２８の貫通孔２８ａとにより形成される凹陥部と、前記貫通孔２８ａと連通する開口２５ａと、該開口２５ａと一端で連通し、他端に供給口３が形成されている角筒体２６とから構成したが、メダル案内路１５において、該角筒体２６は必ずしも設ける必要はなく、例えば、開口２５ａが供給口３を兼ねるものであってもよいし、また、メダル供給装置２２のメダル供給タンク１に角筒体２６を設け、該角筒体２６と開口２５ａとを連通するように構成してもよい。
【００６７】
また、上記実施形態では、計数器から排出されるメダルと、計数器を介することなく、スロットマシン（遊技機）から直接回収されるメダルとを一の揚送手段（バケットコンベア９）で上方に搬送するように構成したが、それぞれ別個独立の揚送手段で搬送することも勿論可能である。また、バケットエレベータ９をメダル貯留タンク８とメダル洗浄装置１０との間に配置したが、メダル洗浄装置１０の後方に配置することもできる。
【図面の簡単な説明】
【００６８】
【図１】図１は、本考案の一実施形態に係るメダル洗浄装置を示す図であり、（ａ）はその内部構成を示す斜視図、（ｂ）はその外部構成を示す斜視図である。
【図２】図２は、同メダル洗浄装置の内部機構を示す図であり、（ａ）はその断面正面図、（ｂ）はその断面側面図である。
【図３】図３は、同メダル供給装置の一部断面側面図である。
【図４】図４は、同メダル搬送装置を示す図であり、（ａ）はその正面図、（ｂ）は（ａ）のＡ−Ａ線における一部断面側面図である。
【図５】図５は、本考案の他の実施形態に係るメダル搬送装置を示す図であり、（ａ）はその正面図、（ｂ）は（ａ）のＢ−Ｂ線における一部断面側面図である。
【図６】図６は、従来例のメダル洗浄装置を示す図であり、（ａ）はその内部機構を示す断面正面図、（ｂ）はその断面側面図、（ｃ）はそのメダル搬送装置を示す拡大正面図、（ｄ）はその外部構成を示す斜視図である。
【符号の説明】
【００６９】
１…メダル供給タンク（第１貯留手段）、２…排出口、３…供給口、４ａ…左方傾斜面、４ｂ…右方傾斜面、６…補給用容器、７…補給用容器設置部、８…メダル貯留タンク（第２貯留手段）、９…バケットエレベータ（揚送手段）、１０…メダル洗浄機（洗浄手段）、１３…回転翼、１３´…ディスク状回転板、１４、１４´…モーター（駆動源）、１５，１５´…メダル案内路（遊技媒体案内路）
【図１】
0003102123.tif 000003
【図２】
0003102123.tif 000004
【図３】
0003102123.tif 000005
【図４】
0003102123.tif 000006
【図５】
0003102123.tif 000007
【図６】
0003102123.tif 000008